(57)【特許請求の範囲】
【請求項１】
所定の検知対象を検知可能な検知装置を含む各種の遊技部品を有する遊技機において、
遊技盤と、
前記遊技盤の裏側において、前記各種の遊技部品を収容可能な収容部と、
前記検知装置のうち特定の検知装置を前記収容部に固定するための固定部材と、を備え、
前記収容部は、該収容部の壁をその厚さ方向に貫通する貫通部を有しており、
前記固定部材は、前記貫通部の縁部のうち第１縁部と接触する第１接触部と、前記貫通部の縁部のうち第２縁部と接触する第２接触部と、を有しており、
前記貫通部は、前記収容部の壁のうち、前記遊技盤の下縁部から後方に向かって延在している壁にあり、
前記遊技盤は、遊技領域に開口する大入賞口と、該大入賞口に入球した遊技球が前記貫通部から排出されるように案内する通路とを有しており、
前記特定の検知装置は、前記通路を通過する遊技球を検知可能に構成されていることを特徴とする遊技機。
【請求項２】
所定の検知対象を検知可能な検知装置を含む各種の遊技部品を有する遊技機において、
遊技盤と、
前記遊技盤の裏側において、遊技部品を収容可能な収容部と、
前記検知装置のうち特定の検知装置を前記収容部に固定するための固定部材と、を備え、
前記収容部は、該収容部の壁をその厚さ方向に貫通する貫通部を有しており、
前記固定部材は、前記貫通部の縁部と接触する接触部を有しており、
前記貫通部は、前記収容部の壁のうち、前記遊技盤の下縁部から後方に向かって延在している壁にあり、
前記遊技盤は、遊技領域に開口する大入賞口を有しており、前記収容部には、前記大入賞口に入球した遊技球が前記貫通部から排出されるように、且つ、前記特定の検知手段によって検知されるように案内する通路が形成されていることを特徴とする遊技機。
【発明の詳細な説明】
【技術分野】
【０００１】
本発明は、所定の検知対象を検知可能な検知装置を含む各種の遊技部品を有する遊技機に関する。
【背景技術】
【０００２】
従来から、遊技機の一種であるパチンコ遊技機は、遊技盤を備えているとともに、この遊技盤の表側には、遊技球が流下可能な遊技領域が形成されている。そして、例えば、特許文献１に示されるように、遊技盤の裏側には、演出用の可動体や、該可動体を駆動するためのアクチュエータの他にも、遊技領域に開口する入賞口から入球した遊技球を検知する検知装置など、各種の遊技部品が搭載されている。
【先行技術文献】
【特許文献】
【０００３】
【特許文献１】特開２０１２−１０８３７号公報
【発明の概要】
【発明が解決しようとする課題】
【０００４】
ところで、遊技盤に各種の遊技部品を搭載するに際しては、遊技盤の裏側に固定した収容部材に収容した状態で、各種の遊技部品を配設する場合がある。しかしながら、近年では、遊技性の複雑化や演出の高度化に伴って、遊技盤に搭載する遊技部品が多くなる傾向にあり、さらに遊技部品を駆動するための配線も多くなっている。このため、収容部材では、新たな遊技部品の配設スペースを確保することが困難であることに留まらず、配線を引き出すための開口部を大きくしたり、開口部の個数を多くしたりする必要があり、収容部材の強度を低下させてしまう虞があった。
【０００５】
この発明は、上記従来技術に存在する問題点に着目してなされたものであり、その目的は、遊技盤に遊技部品を搭載するための収容部の強度が低下することを抑制できる遊技機を提供することにある。
【課題を解決するための手段】
【０００６】
上記課題を解決する遊技機は、所定の検知対象を検知可能な検知装置を含む各種の遊技部品を有する遊技機において、遊技盤と、前記遊技盤の裏側において、前記各種の遊技部品を収容可能な収容部と、前記検知装置のうち特定の検知装置を前記収容部に固定するための固定部材と、を備え、前記収容部は、該収容部の壁をその厚さ方向に貫通する貫通部を有しており、前記固定部材は、前記貫通部の縁部のうち第１縁部と接触する第１接触部と、前記貫通部の縁部のうち第２縁部と接触する第２接触部と、を有しており、前記貫通部は、前記収容部の壁のうち、前記遊技盤の下縁部から後方に向かって延在している壁にあり、前記遊技盤は、遊技領域に開口する大入賞口と、該大入賞口に入球した遊技球が前記貫通部から排出されるように案内する通路とを有しており、前記特定の検知装置は、前記通路を通過する遊技球を検知可能に構成されていることを要旨とする。
【０００７】
また、上記課題を解決する遊技機は、所定の検知対象を検知可能な検知装置を含む各種の遊技部品を有する遊技機において、遊技盤と、前記遊技盤の裏側において、遊技部品を収容可能な収容部と、前記検知装置のうち特定の検知装置を前記収容部に固定するための固定部材と、を備え、前記収容部は、該収容部の壁をその厚さ方向に貫通する貫通部を有しており、前記固定部材は、前記貫通部の縁部と接触する接触部を有しており、前記貫通部は、前記収容部の壁のうち、前記遊技盤の下縁部から後方に向かって延在している壁にあり、前記遊技盤は、遊技領域に開口する大入賞口を有しており、前記収容部には、前記大入賞口に入球した遊技球が前記貫通部から排出されるように、且つ、前記特定の検知手段によって検知されるように案内する通路が形成されていることを要旨とする。
【発明の効果】
【００１０】
本発明によれば、遊技盤に遊技部品を搭載するための収容部の強度が低下することを抑制できる。
【図面の簡単な説明】
【００１１】
【図１】パチンコ遊技機を模式的に示す正面図。
【図２】遊技ユニット（遊技盤）を模式的に示す正面図。
【図３】遊技盤の図示を省略した遊技ユニットを模式的に示す正面図。
【図４】収容部材に対する大入賞口ユニット、及び通路形成部材の組み付け状態を模式的に示す分解斜視図。
【図５】遊技ユニットを下方から見た状態を模式的に示す斜視図。
【図６】収容部材の図示を省略した状態の遊技ユニットを下方から見た状態を模式的に示す斜視図。
【図７】収容部材に対するセンサホルダの組み付け状態を模式的に示す斜視図。
【図８】センサホルダ、及び特定通過センサを模式的に示す分解斜視図。
【発明を実施するための形態】
【００１２】
以下、パチンコ遊技機の一実施形態について説明する。なお、本明細書において示す上、下、左、右、前（表）、後（裏）は、遊技者側から見たときの各方向を示すものとする。
【００１３】
図１に示すように遊技機としてのパチンコ遊技機１０は、機体の外郭をなす縦長方形の外枠１１を有している。外枠１１には、遊技盤１３を含む遊技ユニットＹＵを搭載した縦長方形の中枠１２と、遊技盤１３の遊技領域１４を透視可能な状態で保護する不図示の保護ガラスを支持する前枠１５とが、外枠１１に対して開放及び着脱自在に組み付けられている。遊技領域１４は、遊技盤１３の前面側において、遊技球が流下可能な領域として区画形成されている。
【００１４】
前枠１５の前面における下部には、遊技領域１４へ遊技球を発射させるときに遊技者によって操作される発射ハンドル１７が配設されている。前枠１５の前面における上部には、内蔵された発光体を点灯、点滅、又は消灯させて行う演出（発光演出）を実行可能に構成された装飾ランプ１８と、楽曲や効果音といった音声を出力して行う演出（音声演出）を実行可能に構成されたスピーカ１９とが配設されている。
【００１５】
図２に示すように、遊技盤１３は、ベニヤ板やアクリル板などからなる四角板状の部材であるとともに、遊技盤１３の中央には、厚さ方向（前後方向）に貫通する不図示の第１開口部が設けられている。遊技盤１３の第１開口部には、各種の装飾部材を配置した表示枠体２０が組み付けられている。
【００１６】
また、図３に示すように、遊技盤１３の裏側には、各種の遊技部品（遊技用構成部材）を収容可能な収容部としての収容部材１６が組み付けられている。収容部材１６は、所定の強度を有する樹脂材料製（例えば、ポリカーボネート製）であるとともに、前方に開放する開口部１６ａを有する扁平な箱状部材である。収容部材１６は、遊技盤１３の上縁部から後方に向かって延在している上壁１６ｂ、遊技盤１３の右縁部から後方に向かって延在している右壁１６ｃ、遊技盤１３の左縁部から後方に向かって延在している左壁１６ｄ、及び遊技盤１３の下縁部から後方に向かって延在している下壁（底壁）１６ｅの４つの壁を有している。これら４つの壁１６ｂ〜１６ｅは、四角枠状に配置されている。
【００１７】
収容部材１６の各壁１６ｂ〜１６ｅには、収容部材１６に収容された電気部品に対して電力を供給するための供給線や、制御信号を出力するための信号線などといった各種の配線を引き込む（引き出す）ための開口部１６ｆが設けられている。また、収容部材１６の下壁１６ｅには、遊技球を機外部へ排出するための排出孔Ｓ１〜Ｓ４が設けられている。本実施形態における開口部１６ｆや、排出孔Ｓ１〜Ｓ４は、収容部材１６の壁をその厚さ方向に貫通する貫通部となる。
【００１８】
そして、遊技盤１３と収容部材１６とは、収容部材１６の開口部１６ａを遊技盤１３で覆った状態で相互に固定されている。本実施形態では、遊技盤１３、収容部材１６、及び遊技盤１３や収容部材１６に組み付けられた各種の遊技部品によって遊技ユニットＹＵが構成されている。
【００１９】
また、図２に示すように、遊技盤１３の前面側には、遊技に関連した情報を表示する複数の表示部を有する情報表示装置２１が配設されている。情報表示装置２１は、特別図柄を変動させて行う図柄変動ゲーム（以下、特別図柄変動ゲームと示す）を表示可能に構成された特別図柄表示部２１ａを有する。特別図柄は、内部的に行われる大当りか否かの大当り判定（所謂、大当り抽選）の結果を示す報知用の図柄である。本実施形態では、特別図柄変動ゲームにおける最終的な表示結果が、大当りを認識可能な大当り表示結果であるか、はずれを認識可能なはずれ表示結果であるかに応じて、上記大当り判定の結果を遊技者が認識し得る。
【００２０】
遊技盤１３の裏側には、各種の画像（動画）を表示して行う演出（表示演出）を実行可能に構成された画像表示部２２ａを有する演出表示装置２２が配置されている。詳しく説明すると、演出表示装置２２は、画像表示部２２ａが表示枠体２０の開口部２０ａを介して遊技者から視認可能となるように、収容部材１６の略中央に組み付けられている。演出表示装置２２では、表示演出の１つとして、飾り図柄（演出図柄）を複数列にわたって変動させて行う図柄変動ゲーム（以下、飾り図柄変動ゲームと示す）が表示される。飾り図柄は、表示演出を多様化するための図柄である。飾り図柄変動ゲームは、特別図柄変動ゲームと対応して実行されるものであり、特別図柄変動ゲームの表示結果に対応する表示結果（図柄の組合せ）が最終的に導出される。
【００２１】
遊技盤１３において、表示枠体２０の下方には、第１始動口ユニット２３が配設されている。第１始動口ユニット２３は、遊技球が入球可能となるように遊技領域１４に開口する第１入球口２３ａと、該第１入球口２３ａから入球した遊技球を検知する第１始動センサＳＥ１とを有する。また、遊技盤１３において、表示枠体２０の右方には、第２始動口ユニット２４が配設されている。第２始動口ユニット２４は、遊技球が入球可能となるように遊技領域１４に開口する第２入球口２４ａと、該第２入球口２４ａから入球した遊技球を検知する第２始動センサＳＥ２とを有する。また、第２始動口ユニット２４は、図示しないアクチュエータの作動により第２入球口２４ａの開閉動作を行う開閉羽根２５を有する。第２入球口２４ａは、開閉羽根２５が開動作すると、遊技球が入球可能に開放される一方で、開閉羽根２５が閉動作すると、遊技球が入球困難に閉鎖される。本実施形態では、各始動センサの何れかで遊技球が検知されることで、図柄変動ゲームの始動条件が成立し得るとともに、賞球としての遊技球の払出し条件が成立する。
【００２２】
図４に示すように、遊技盤１３の裏側において、収容部材１６には、第２入球口２４ａに入球した遊技球を機外部へ排出するための排出通路２６を有する通路形成部材２７が組み付けられている。なお、図４においては遊技盤１３の図示が省略されている。通路形成部材２７は、全体として扁平な四角枠状の部材であり、その中央には前後方向に貫通する開口部２７ａが形成されている。通路形成部材２７の上部には、第２入球口２４ａから入球した遊技球を受け入れる第１受入口２７ｂが設けられている。排出通路２６は、開口部２７ａの上縁部、右縁部、及び下縁部に沿った略コの字型の通路であり、第１受入口２７ｂから受入れた遊技球を下方へ流下案内する。排出通路２６の下端には、流下案内した遊技球を排出する開口部２６ａが設けられている。また、開口部２７ａの下方には、排出通路２６と連通しており、受け入れた遊技球を排出通路２６内へ案内する第２受入口２７ｃが設けられている。
【００２３】
そして、通路形成部材２７の周縁部には、該通路形成部材２７を収容部材１６に対して固定するための固定部として、ネジを挿通するための挿通孔を有する複数のネジ受け部２８ａが設けられている。同様に、通路形成部材２７の縁部には、通路形成部材２７を収容部材１６に固定するための部位として、ネジを挿通するための挿通孔を有するネジ受け部２８ｂが設けられている。そして、通路形成部材２７は、ネジを各ネジ受け部２８ａの挿通孔に挿通させた状態で、収容部材１６の右壁１６ｃや下壁１６ｅに設けられたネジ孔にそれぞれ螺入させることで、収容部材１６に対して固定されている。この状態において、排出通路２６の下端部における開口部２６ａは、該開口部２６ａから排出された遊技球を機外部へ排出可能となるように、収容部材１６の排出孔Ｓ１と整合一致されている。
【００２４】
また、図２に示すように、遊技盤１３において、表示枠体２０の右下方には、大入賞口ユニット３０が配設されている。大入賞口ユニット３０は、遊技盤１３を前後方向に貫通し且つ遊技領域１４の下縁部に位置する第２開口部１３ａに対して、ネジなどで固定されている。したがって、大入賞口ユニット３０は、遊技領域１４の下縁部に沿って配置されている。本実施形態では、大入賞口ユニット３０を遊技盤１３の周縁部近くに配設することで、その分だけ表示枠体２０の開口部２０ａを大きく設定するとともに、演出表示装置２２における画像表示部２２ａの大画面化に寄与する。また、大入賞口ユニット３０は、前後方向に所定の長さを有しており、第２開口部１３ａから遊技盤１３の裏側（収容部材１６内）にその一部が突出している。
【００２５】
大入賞口ユニット３０は、遊技球が入球可能となるように遊技領域１４に開口する大入賞口として、第１大入賞口３１と第２大入賞口３２とを有する。大入賞口ユニット３０は、アクチュエータの作動により第１大入賞口３１の開閉動作を行う第１大入賞口扉３１ａを有する。第１大入賞口３１は、第１大入賞口扉３１ａが開動作すると、遊技球が入球可能に開放される一方で、第１大入賞口扉３１ａが閉動作すると、遊技球が入球不能に閉鎖される。大入賞口ユニット３０は、アクチュエータの作動により第２大入賞口３２の開閉動作を行う第２大入賞口扉３２ａを有する。第２大入賞口３２は、第２大入賞口扉３２ａが開動作すると、遊技球が入球可能に開放される一方で、第２大入賞口扉３２ａが閉動作すると、遊技球が入球不能に閉鎖される。
【００２６】
大入賞口ユニット３０の内部には、第１大入賞口３１から入球した遊技球を機外部に排出するための排出通路３３が設けられている。排出通路３３は、上下方向に沿って延びるように形成されており、遊技球を収容部材１６の下壁１６ｅ側に開口する開口部３３ａから、前述した第２受入口２７ｃへ排出するようになっている。また、排出通路３３には、該排出通路３３を通過する遊技球を検知する第１カウントセンサＳＥ３が配設されている。本実施形態では、第１カウントセンサＳＥ３で遊技球が検知されることで、賞球としての遊技球の払出し条件が成立する。
【００２７】
また、大入賞口ユニット３０の内部には、第２大入賞口３２から入球した遊技球を後方へ向かって案内する案内通路３４と、該案内通路３４の後端部に設けられた分岐部から分岐する第２通路としての非特定通路３５、及び第１通路としての特定通路３６とが設けられている。各通路３５，３６は、上下方向に沿って延びるように形成されている。各通路３５，３６は、第２大入賞口３２から入球した遊技球を収容部材１６の下端部から機外部に排出するための排出通路でもある。また、案内通路３４を非特定通路３５と特定通路３６とに分岐する分岐部には、図示しないアクチュエータの作動により、第２大入賞口３２から入球した遊技球を非特定通路３５と特定通路３６とに振分ける振分動作を行う振分装置３７が配設されている。また、大入賞口ユニット３０において、案内通路３４には、該案内通路３４を通過する遊技球を検知する第２カウントセンサＳＥ４が配設されている。本実施形態では、第２カウントセンサＳＥ４で遊技球が検知されることで、賞球としての遊技球の払出し条件が成立する。
【００２８】
また、図５に示すように、大入賞口ユニット３０において、非特定通路３５の下端部における開口部（排出口）３５ａは、該開口部３５ａから排出された遊技球を機外部へ排出可能となるように、収容部材１６の排出孔Ｓ２と整合一致されている。また、大入賞口ユニット３０において、特定通路３６の下端部における開口部（排出口）３６ａは、該開口部３６ａから排出された遊技球を機外部へ排出可能となるように、収容部材１６の排出孔Ｓ２と整合一致されている。
【００２９】
図５及び図６に示すように、大入賞口ユニット３０において、非特定通路３５の開口部３５ａには、該非特定通路３５から排出される遊技球を検知する排出センサＳＥ５が配設されている。この排出センサＳＥ５は、扁平な直方体状であるとともに、遊技球が通過可能な検出孔ＳＥ５ａを有している。大入賞口ユニット３０の下壁面には、排出センサＳＥ５を嵌め込み固定するための凹部３５ｂが設けられている。排出センサＳＥ５は、凹部３５ｂに嵌め込まれていることで、検出孔ＳＥ５ａと開口部３５ａとを整合一致させた状態で、大入賞口ユニット３０に対して固定されている。本実施形態において、凹部３５ｂは、排出センサＳＥ５を支持する支持部に対応する。
【００３０】
そして、本実施形態では、特定通路３６の開口部３６ａに対応させて、該特定通路３６から排出される所定の検知対象としての遊技球を検知する特定通過センサＳＥ６が大入賞口ユニット３０とは別体で配設されている。この特定通過センサＳＥ６は、扁平な直方体状であるとともに、遊技球が通過可能な検出孔ＳＥ６ａと、信号線を接続するためのコネクタＳＥ６ｂと、を有している。特定通過センサＳＥ６は、収容部材１６の排出孔Ｓ２の縁部に対して組み付けられている。この特定通過センサＳＥ６の収容部材１６に対する組み付け構造については、後に詳しく説明する。本実施形態の特定通過センサＳＥ６は、特定の検知装置に対応する一方で、排出センサＳＥ５は、非特定の検知装置に対応する。
【００３１】
本実施形態では、大当り表示結果が最終的に表示される大当りの特別図柄変動ゲームが終了すると、大当り遊技が付与される。大当り遊技では、最初にオープニング演出が行われる。オープニング演出の終了後には、第１大入賞口３１又は第２大入賞口３２を開放するラウンド遊技が、予め定めた上限回数（本実施形態では１６回）にわたって行われる。本実施形態では、４回目のラウンド遊技において第２大入賞口３２が開放される一方で、その他のラウンド遊技においては第１大入賞口３１が開放される。また、各ラウンド遊技中には、ラウンド演出が行われる。そして、最終回のラウンド遊技が終了すると、大当り遊技の終了を示すエンディング演出が行われ、大当り遊技は終了される。このように、大当り遊技では、第１大入賞口３１及び第２大入賞口３２が開放され、これら大入賞口３１，３２へ遊技球を入球させ得る。即ち、大当り遊技中、遊技者は、賞球の払出条件を成立させるチャンスを得ることができる。
【００３２】
そして、本実施形態では、大当り遊技（４回目のラウンド遊技）において第２大入賞口３２が開放された際に遊技球が入球し、該入球した遊技球が特定通過センサＳＥ６により検知されると、その大当り遊技の終了後に確率変動機能が作動する。確率変動機能は、大当り判定の判定結果が肯定となる確率（大当り確率）を低確率から高確率に変動させる確率変動状態を付与する機能である。確率変動状態は、確率変動状態が付与されていない状態と比較して、大当り確率が高確率に変動して大当り遊技が生起され易くなるため、遊技者にとって有利な有利遊技状態となる。したがって、本実施形態において、特定通路３６は、遊技球の通過により確率変動状態が付与される特定領域（所謂Ｖゾーン）となり、非特定通路３５は、遊技球の通過によっても確率変動状態が付与されない非特定領域となる。
【００３３】
また、図２に示すように、前述の情報表示装置２１は、実行が保留されている保留中の図柄変動ゲームの回数（始動保留の個数）を表示する保留表示部２１ｂを有する。また、情報表示装置２１は、普通図柄を変動させて行う図柄変動ゲーム（以下、普通図柄変動ゲームと示す）を表示可能に構成された普通図柄表示部２１ｃを有する。普通図柄は、内部的に行われる普通当りか否かの普通当り判定の結果を示す報知用の図柄である。本実施形態では、普通図柄変動ゲームにおける最終的な表示結果が、当りを認識可能な普通当り表示結果であるか、はずれを認識可能なはずれ表示結果であるかに応じて、上記普通当り判定の結果を遊技者が認識し得る。
【００３４】
本実施形態では、普通当り表示結果が最終的に表示される普通当りの普通図柄変動ゲームが終了すると、普通当り遊技が付与される。普通当り遊技では、第２入球口２４ａが開放され、第２入球口２４ａへ遊技球を入球させ得る。このため、普通当り遊技中、遊技者は、特別図柄変動ゲームの始動条件と、賞球の払出条件を成立させるチャンスを得ることができる。
【００３５】
遊技盤１３において、表示枠体２０の右方には、作動ゲート３８が配設されている。作動ゲート３８には、入球（通過）した遊技球を検知するゲートセンサが設けられている。本実施形態では、遊技球が作動ゲート３８のゲートセンサで検知されることにより、普通図柄変動ゲームの始動条件が成立し得る。
【００３６】
また、図１に示すように、収容部材１６の後側には、パチンコ遊技機１０の動作を制御する制御装置４０が配設されている。制御装置４０は、遊技の進行にかかわる制御処理を実行可能な中央演算素子（ＣＰＵ）と、中央演算素子用の制御プログラムや中央演算素子による処理結果を記憶するための記憶装置をと有する。制御装置４０には、各センサＳＥ１〜ＳＥ６が遊技球を検知して出力する検知信号を入力可能に接続されている。
【００３７】
そして、制御装置４０は、制御プログラムにしたがって各種の処理を実行することで、大当り判定を含み図柄変動ゲームを実行するための制御や、各大入賞口３１，３２を開放させて大当り遊技を付与するための制御を行う。詳しく説明すると、制御装置４０は、大当り遊技中における４回目のラウンド遊技において、特定通過センサＳＥ６から検知信号を入力したか否かを監視するとともに、検知信号を入力したことを条件として、大当り遊技の終了後に確率変動状態を生起させることを示す確変情報（フラグなど）を記憶装置に記憶させる。そして、制御装置４０は、大当り遊技の終了後、確変情報が記憶されている場合、確変情報が記憶されていないときと比較して、大当り確率が高確率となるように上記大当り判定を実行するように構成されており、これにより上述の確率変動機能が実現されている。したがって、本実施形態の制御装置４０は、特定通過センサＳＥ６により遊技球が検知されたことを条件として、遊技者にとって有利な特典としての確率変動状態を付与可能な特典付与手段として機能する。
【００３８】
また、制御装置４０は、各センサＳＥ４〜ＳＥ６から入力する検知信号に基づいて、第２大入賞口３２から入球した遊技球が大入賞口ユニット３０内において詰まっていないかを判定可能に構成されている。例えば、制御装置４０は、第２カウントセンサＳＥ４から検知信号を入力するごとに、記憶装置に記憶している管理カウンタを１加算する一方で、排出センサＳＥ５又は特定通過センサＳＥ６から検知信号を入力するごとに、上記管理カウンタを１減算する。そして、制御装置４０は、４回目のラウンド遊技が終了してから所定時間が経過しても、上記管理カウンタに示される遊技球の個数が０（零）にならないことを条件として、球詰まりが発生していると判定することができる。
【００３９】
以下、収容部材１６に対する特定通過センサＳＥ６の組み付け構造について詳細に説明する。
図７に示すように、排出孔Ｓ２（開口部１６ｆ）は、収容部材１６の下壁１６ｅを上下方向（厚さ方向）に貫通している略四角形の貫通孔である。また、収容部材１６の下壁１６ｅには、遊技盤１３側の先端から排出孔Ｓ２まで、後方に向かって切り欠くように形成された切欠き部５０が設けられている。左右方向に沿った切欠き部５０の幅は、左右方向に沿った排出孔Ｓ２の幅よりも狭い。このように、収容部材１６の下壁１６ｅにおいて、遊技盤１３側に配置された縁部は、左右方向に沿って連続しておらず分断されている部分がある。
【００４０】
そして、下壁１６ｅにおける遊技盤１３側の端部には、排出孔Ｓ２の左縁部５１から右方に向かって突出した略矩形板状の第１突出部５２が設けられている。第１突出部５２は、遊技盤１３の裏面と接触する接触面５２ａを有している。また、下壁１６ｅにおける遊技盤１３側の端部には、排出孔Ｓ２の右縁部５３から左方に向かって突出した略矩形板状の第２突出部５４が設けられている。第２突出部５４は、遊技盤１３の裏面と接触する接触面５４ａを有している。また、下壁１６ｅには、第２突出部５４から後方に離間させた位置において、右縁部５３から左方に向かって突出する補助壁部５５が設けられている。この補助壁部５５の前縁部には、第２突出部５４における接触面５４ａとは反対側の後面５４ｂと平行な平面状である前端面５５ａが形成されている。
【００４１】
そして、本実施形態のパチンコ遊技機１０では、第２突出部５４（後面５４ｂ）と、右縁部５３と、補助壁部５５（前端面５５ａ）とによって、特定通過センサＳＥ６を収容するセンサホルダ６０を固定するためのホルダ収容部６１が形成されている。本実施形態において、センサホルダ６０は、特定通過センサＳＥ６を収容部材１６に対して固定するための固定部材に相当する。そして、センサホルダ６０は、前述した大入賞口ユニット３０とは別体の部材である。
【００４２】
図８に示すように、センサホルダ６０は、特定通過センサＳＥ６を収容する本体部材７０と、該本体部材７０に特定通過センサＳＥ６を収容した状態で封止する蓋部材８０とを有する。本体部材７０及び蓋部材８０は、所定の強度を有する樹脂材料製（例えば、ポリカーボネート製）である。
【００４３】
本体部材７０は、後端に位置する後壁７１と、後壁７１の上縁部から前方に突出する上壁７１ａと、後壁７１の下縁部から前方に突出する下壁７１ｂと、後壁７１の左縁部から前方に向かって突出する左壁７１ｃとを有する。上壁７１ａの下面と下壁７１ｂの上面とは、相互に平行な状態で対向しているとともに、特定通過センサＳＥ６の上下方向に沿った厚さより僅かに離間している。
【００４４】
上壁７１ａには、ネジが螺入される螺入部７１ｅが設けられている。上壁７１ａには、その前端部から前方（蓋部材８０）に向かって突出する円柱状の位置決め部７１ｆが設けられている。また、後壁７１及び左壁７１ｃの下縁部には、該下縁部に沿うように、特定通過センサＳＥ６を支持するためのリブ７１ｄが設けられている。なお、本体部材７０において、左右方向における中央から左方には、壁が設けられておらず、遊技球が上下方向に通過可能な開放部７１ｇが形成されている。
【００４５】
また、上壁７１ａの右縁部には、該上壁７１ａに沿って前後方向に延びるとともに、下壁７１ｂに向かって突出する第１右壁７２ａが設けられている。下壁７１ｂの右縁部には、該下壁７１ｂに沿って前後方向に延びるとともに、上壁７１ａに向かって突出する第２右壁７２ｂが設けられている。第１右壁７２ａの下端面と、第２右壁７２ｂの上端面とは、相互に平行な状態で対向しているとともに、特定通過センサＳＥ６におけるコネクタＳＥ６ｂの上下方向に沿った厚さよりも僅かに離間している。
【００４６】
また、下壁７１ｂ及び左壁７１ｃは、それぞれの前端部において下方に延びるネジ受け部７５を有している。各ネジ受け部７５は、センサホルダ６０を収容部材１６の第２突出部５４に対して固定するためのネジが挿通される挿通孔７５ａを有している。また、後壁７１には、該後壁７１の右縁部から右方へ向かって突出する略矩形板状の突出部７６が設けられている。突出部７６の上縁部には、特定通過センサＳＥ６のコネクタＳＥ６ｂに接続される配線としての信号線を係止するための鈎状の係止部７７が設けられている。係止部７７は、特定通過センサＳＥ６の配線を保持する保持部に相当する。また、突出部７６には、前面から前方（遊技盤１３）に向かって突出する略円筒状の支持部７９が設けられている。本実施形態において、支持部７９は、前述した通路形成部材２７のネジ受け部２８ｂの挿通孔を挿通させたネジが螺入されるとともに、ネジ受け部２８ｂを介して通路形成部材２７を支持する。したがって、支持部７９は、遊技部品のうち特定通過センサＳＥ６とは異なる遊技部品としての通路形成部材２７を固定するための固定部に相当する。
【００４７】
また、蓋部材８０は、左右方向に延びる略矩形板状の部材である。蓋部材８０は、ネジを挿通するための挿通孔８１と、本体部材７０の位置決め部７１ｆが挿通される位置決め孔８２とを有する。本実施形態では、本体部材７０における後壁７１、上壁７１ａ、下壁７１ｂ、左壁７１ｃ、及び各右壁７２ａ，７２ｂ、並びに蓋部材８０によって、特定通過センサＳＥ６を収容するための収容空間Ｓａが形成されている。センサホルダ６０において、特定通過センサＳＥ６は、コネクタＳＥ６ｂを各右壁７２ａ，７２ｂの間に配置させた状態であって、且つ検出孔ＳＥ６ａと開放部７１ｇとを対応させた状態で収容空間Ｓａに収容されている。そして、蓋部材８０は、位置決め部７１ｆを位置決め孔８２に挿通させた状態において、ネジを挿通孔８１に挿通させつつ本体部材７０の螺入部７１ｅに螺入させることで、本体部材７０に対して固定されている。
【００４８】
そして、図７に示すように、特定通過センサＳＥ６を収容したセンサホルダ６０は、各挿通孔７５ａをそれぞれ挿通させたネジによって、第２突出部５４に対して固定されている。この状態において、本体部材７０の突出部７６における後面７６ａは、補助壁部５５の前端面５５ａと接触（面接触）している。また、本体部材７０における下壁７１ｂの下面（外面）７１ｈ、及びリブ７１ｄの下面（外面）７１ｉは、第２突出部５４の上端面５４ｃと接触（面接触）している。このように、本実施形態において、突出部７６の後面７６ａは、第１接触部に相当し、下壁７１ｂの下面７１ｈ、及びリブ７１ｄの下面７１ｉは、第２接触部に相当する。また、補助壁部５５の前端面５５ａは、第２縁部に相当し、第２突出部５４の上端面５４ｃは、第１縁部に相当する。なお、コネクタＳＥ６ｂに接続された配線は、係止部７７に纏めて係止されるとともに、排出孔Ｓ２（開口部１６ｆ）から収容部材１６の外部に引き出されている。
【００４９】
次に、上記のように構成したパチンコ遊技機１０の作用について説明する。
前述のように、収容部材１６には、排出孔Ｓ２や切欠き部５０が設けられていることから、このような排出孔Ｓ２や切欠き部５０を設けない構成と比較して、収容部材１６としての強度が低下してしまう虞がある。これに対して、本実施形態では、センサホルダ６０を大入賞口ユニット３０とは別体に設けるに際して、該センサホルダ６０と、収容部材１６における補助壁部５５の前端面５５ａ及び第２突出部５４の上端面５４ｃとを接触させていることで、排出孔Ｓ２まわりにおいて収容部材１６の下壁１６ｅを補強できる。本実施形態において、センサホルダ６０による下壁１６ｅの補強は、収容部材１６の下壁１６ｅのうち、特に排出孔Ｓ２よりも右方部分についてなされる。また、センサホルダ６０と収容部材１６とは、上端面５４ｃと前端面５５ａとにおいて面接触していることから、より強固に補強することができる。また、本実施形態のセンサホルダ６０は、所定方向としての前後方向に離間する補助壁部５５と第２突出部５４とを連結するように配設されていることから、下壁１６ｅの補強を効果的に行うことができる。
【００５０】
また、本実施形態では、遊技球の排出に必須となる排出孔Ｓ２や、配線の引き込みに必須となる開口部１６ｆを利用してセンサホルダ６０を固定している。このため、収容部材１６に対して、センサホルダ６０を固定するための専用構造を排出孔Ｓ２などとは別に設ける場合と比較して、センサホルダ６０（特定通過センサＳＥ６）の配置スペースを簡便に確保できる。このような構成は、本実施形態のように、大入賞口ユニット３０を遊技領域１４の縁部に沿って配置することで、特定通過センサＳＥ６の配置スペースが確保し難い状況下において特に効果を発揮する。
【００５１】
また、センサホルダ６０には、係止部７７が設けてあることから、例えばコネクタＳＥ６ｂに接続した配線を纏めて係止部７７に保持させることができる。このため、本実施形態では、センサホルダ６０を収容部材１６に組み付ける際に、配線が邪魔となってしまったり、他の部材（例えば大入賞口ユニット３０）を組み付ける際に、特定通過センサＳＥ６の配線が意図せず部材間に挟み込まれてしまったりすることを抑制できる。
【００５２】
したがって、本実施形態によれば、以下のような効果を得ることができる。
（１）本実施形態によれば、収容部材１６のうち下壁１６ｅの排出孔Ｓ２における２つの縁部に対して、センサホルダ６０を接触させることから、排出孔Ｓ２を利用して、遊技部品である特定通過センサＳＥ６の配設スペースを確保しつつも、排出孔Ｓ２まわりにおいて収容部材１６を補強できる。したがって、遊技盤１３に遊技部品を搭載するための収容部材１６の強度が低下することを抑制できる。
【００５３】
（２）本実施形態によれば、特定通路３６を通過する遊技球を検知可能である特定通過センサＳＥ６の配設スペースを確保しつつも、排出孔Ｓ２まわりにて収容部材１６を補強できる。したがって、遊技盤１３に遊技部品を搭載するための収容部材１６の強度が低下することを抑制できる。
【００５４】
（３）本実施形態によれば、第２突出部５４の上端面５４ｃと、センサホルダ６０における下面７１ｈ，７１ｉとは、突出部７６における後面７６ａと補助壁部５５の前端面５５ａとを面接触させた状態で相互に固定されていることから、排出孔Ｓ２まわりにおいて収容部材１６をより強固に補強できる。
【００５５】
（４）本実施形態によれば、係止部７７により配線（信号線）を保持できることから、配線の取り回しを容易にできる。
（５）本実施形態によれば、センサホルダ６０（支持部７９）を利用することで通路形成部材２７（他の遊技部品）を固定できることから、専用の固定部を設ける場合と比較して、収容部材１６における設置スペースを確保できる。
【００５６】
（６）本実施形態によれば、特に特定通路３６を通過する遊技球を検知する特定通過センサＳＥ６のセンサホルダ６０によって、収容部材１６を補強できる。
（７）さらに言えば、遊技球の通過により特典（確率変動状態）が付与され得る特定通路３６の特定通過センサＳＥ６用のセンサホルダ６０により、収容部材１６を補強できる。
【００５７】
（８）本実施形態によれば、特定通過センサＳＥ６のセンサホルダ６０が大入賞口ユニット３０とは別体であることから、特定通過センサＳＥ６が不要となる場合にセンサホルダ６０ごと特定通過センサＳＥ６を取り外すことができる。
【００５８】
（９）本実施形態によれば、大入賞口ユニット３０を遊技領域１４の下縁部に沿って配設することで、遊技領域１４において遊技球が流下可能な領域を広く確保できる。この場合、大入賞口ユニット３０と収容部材１６の下壁１６ｅとが近接することから、特定通過センサＳＥ６の配設スペースが減少するが、上記構成を採用することで、特定通過センサＳＥ６を配置可能としつつ収容部材１６を補強できる。
【００５９】
なお、上記実施形態は、次のような別の実施形態（別例）にて具体化できる。
・嵌合、係止、又はリベットによるカシメなど、各部材はネジ止めとは異なる方法で固定されていてもよい。
【００６０】
・センサホルダ６０は、３つ以上の部品から構成されていてもよい。
・センサホルダ６０は、収容部材１６に対して複数配設してもよい。
・センサホルダ６０におけるネジ受け部７５の配設位置は適宜変更できる。例えば、ネジ受け部７５は、蓋部材８０に設けられていてもよい。また、センサホルダ６０は、１つ又は３つ以上のネジ受け部７５を有していてもよい。
【００６１】
・センサホルダ６０は、遊技球を検知可能に構成された複数のセンサを収容可能に構成されていてもよい。
・センサホルダ６０に収容するセンサは、第１始動センサＳＥ１、第２始動センサＳＥ２、第１カウントセンサＳＥ３、第２カウントセンサＳＥ４、又は排出センサＳＥ５の何れであってもよい。例えば、大入賞口ユニット３０において、凹部３５ｂに特定通過センサＳＥ６を配設する一方で、センサホルダ６０に排出センサＳＥ５を収容してもよい。この場合、非特定通路３５を遊技球が通過したことを契機として特典が付与される。
【００６２】
・センサホルダ６０は、下壁１６ｅに設けられた開口部１６ｆ（貫通孔）に固定されていてもよく、排出孔Ｓ２とは異なる排出孔に固定されていてもよい。また、センサホルダ６０は、下壁１６ｅとは異なる壁に設けられた開口部１６ｆ（貫通孔）に固定されていてもよい。
【００６３】
・センサホルダ６０は、排出孔Ｓ２の縁部のうち３つ以上の縁部において接触されていてもよい。なお、センサホルダ６０は、排出孔Ｓ２の縁部と線接触、又は点接触していてもよい。但し、収容部材１６を補強する観点からは、上記実施形態のように面接触させる構成が好ましい。
【００６４】
・センサホルダ６０は、係止部７７を省略した構成であってもよい。また、センサホルダ６０は、支持部７９を省略した構成であってもよい。
・センサホルダ６０は、支持部７９に代えて、又は加えて通路形成部材２７とは異なる遊技部材を固定するための固定部を有していてもよい。例えば、センサホルダ６０は、大入賞口ユニット３０を固定する固定部を有していてもよい。
【００６５】
・センサホルダ６０において、本体部材７０と蓋部材８０とは接着により固定されていてもよく、一体の部材として形成されていてもよい。
・大入賞口ユニット３０は、大入賞口３１，３２の何れかを省略した構成としてもよい。この場合、センサホルダ６０には、大入賞口ユニット３０が備える大入賞口用のセンサを収容するとよい。
【００６６】
・大入賞口ユニット３０は、遊技領域１４における下縁部に沿った位置とは異なる位置に配設されていてもよい。
・収容部材１６は、枠状の部材であってもよく、遊技盤１３と一体に形成されていてもよい。
【００６７】
・収容部材１６には、遊技部品として各種の部材を収容可能である。例えば、収容部材１６には、演出用の可動体や、該可動体を動作させるためのアクチュエータが収容されていてもよい。
【００６８】
・収容部材１６において、センサホルダ６０と接触する２つの縁部は平行に配置されていなくてもよい。例えば、センサホルダ６０と接触する２つの縁部は、相互に交差するように配置されていてもよい。
【００６９】
・収容部材１６は、複数の部材を組み合わせ形成されていてもよい。
・特定通過センサＳＥ６による遊技球の検知を契機に付与する特典としては、確率変動状態とは異なる特典を設定してもよい。例えば、制御装置４０は、４回目のラウンド遊技において、遊技球が特定通過センサＳＥ６で検知されたことを条件として、５回目以降のラウンド遊技を実行する一方で、遊技球が特定通過センサＳＥ６で検知されなかったことを条件として、５回目以降のラウンド遊技を実行することなく大当り遊技を終了してもよい。この場合、５回目以降のラウンド遊技は、遊技者に有利な特典となる。
【００７０】
・センサホルダ６０には、遊技球とは異なる検知対象を所定の検知対象として検知するセンサを収容してもよい。センサホルダ６０には、例えば、所定の検知対象として磁気を検知する磁気センサや、所定の検知対象として振動を検知する振動センサを収容してもよい。
【００７１】
・制御装置４０は、単一の制御基板から構成されていてもよく、複数の制御基板から構成されていてもよい。
・演出表示装置２２において特別図柄変動ゲームを表示するとともに、特別図柄表示部２１ａの構成を省略してもよい。即ち、飾り図柄変動ゲームを実行せず、特別図柄変動ゲームを実行するパチンコ遊技機として具体化してもよい。
【００７２】
次に、上記実施形態及び別例から把握できる技術的思想を以下に追記する。
（イ）前記通路は、第１通路と第２通路とを含む複数の通路に分岐しており、前記特定の検知装置は、前記第１通路を通過する遊技球を検知可能に構成されていることが好ましい。
【００７３】
（ロ）前記特定の検知装置により遊技球が検知されたことを条件として、遊技者にとって有利な特典を付与可能な特典付与手段を備えていることが好ましい。
（ハ）前記遊技盤は、前記大入賞口、前記第１通路、及び前記第２通路を有する大入賞口ユニットを備え、前記検知装置には、前記第２通路を通過する遊技球を検知可能に構成された非特定の検知装置を含み、前記大入賞口ユニットには、前記非特定の検知装置を支持する支持部が設けられており、前記固定部材は、前記大入賞口ユニットとは別体であることが好ましい。
【００７４】
（ニ）前記大入賞口ユニットは、前記遊技領域の下縁部に沿って配設されていることが好ましい。
【符号の説明】
【００７５】
Ｓ２…排出孔（貫通部）、ＳＥ６…特定通過センサ（検知装置、特定の検知装置）、１０…パチンコ遊技機（遊技機）、１３…遊技盤、１６…収容部材（収容部）、１６ｅ…下壁（壁）、２７…通路形成部材（遊技部品）、３１…第１大入賞口、３２…第２大入賞口（大入賞口）、３４…案内通路（通路）、３５…非特定通路（通路、第２通路）、３６…特定通路（通路、第１通路）、５４…第２突出部、５４ｃ…上端面（第１縁部）、５５…補助壁部、５５ａ…前端面（第２縁部）、６０…センサホルダ（固定部材）、７１ｂ…下壁、７１ｃ…左壁、７１ｈ，７１ｉ…下面（第１接触部）、７６…突出部、７６ａ…後面（第２接触部）、７７…係止部（保持部）、７９…支持部（固定部）。
【図１】
0006267081.tif 000002
【図２】
0006267081.tif 000003
【図３】
0006267081.tif 000004
【図４】
0006267081.tif 000005
【図５】
0006267081.tif 000006
【図６】
0006267081.tif 000007
【図７】
0006267081.tif 000008
【図８】
0006267081.tif 000009